【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
それぞれ異なる色に対応する４つの画素を一組として、該一組の画素を複数配置してカラー表示をする表示装置であって、
前記４つの画素における面積の小さい２つの画素が隣り合わないように配置されていることを特徴とする表示装置。
【請求項２】
それぞれ異なる色に対応する４つの画素を一組として、該一組の画素を複数配置してカラー表示をする表示装置であって、
前記４つの画素における輝度の小さい２つの画素が隣り合わないように配置されていることを特徴とする表示装置。
【請求項３】
前記一組の画素は、ストライプ型の配置で複数規則的に配置されていることを特徴とする請求項１又は２に記載の表示装置。
【請求項４】
前記一組の画素は、モザイク型の配置で複数規則的に配置されていることを特徴とする請求項１又は２に記載の表示装置。
【請求項５】
液晶表示装置、有機ＥＬ表示装置、プラズマ表示装置、ブラウン管表示装置のうちのいずれかをなすことを特徴とする請求項１から４のいずれか一項に記載の表示装置。
【請求項６】
一組の画素に含まれ且つそれぞれ異なる色に対応する４つの画素の配置を決定する画素配置方法であって、
前記４つの画素それぞれの面積を変化させ、該変化させた４つの画素の光を合成させたときに所望の白色となる該４つの画素それぞれの面積を求め、該４つの画素における面積の小さい２つの画素を選択し、
前記選択された２つの画素が隣り合わないように前記４つの画素の配置を決定することを特徴とする画素配置方法。
【請求項７】
一組の画素に含まれ且つそれぞれ異なる色に対応する４つの画素の配置を決定する画素配置方法であって、
前記４つの画素それぞれの面積を変化させ、該変化させた４つの画素の光を合成させたときに所望の白色となる該４つの画素それぞれの輝度を求め、該４つの画素における輝度の小さい２つの画素を選択し、
前記選択された２つの画素が隣り合わないように前記４つの画素の配置を決定することを特徴とする画素配置方法。
【請求項８】
一組の画素に含まれ且つそれぞれ異なる色に対応する４つの画素の配置を決定する画素配置プログラムであって、
前記４つの画素それぞれの面積を変化させ、該変化させた４つの画素の光を合成させたときに所望の白色となる該４つの画素それぞれの面積を求め、該４つの画素における面積の小さい２つの画素を選択する処理と、
前記選択された２つの画素が隣り合わないように前記４つの画素の配置を決定する処理とをコンピュータに実行させることを特徴とする画素配置プログラム。
【請求項９】
一組の画素に含まれ且つそれぞれ異なる色に対応する４つの画素の配置を決定する画素配置プログラムであって、
前記４つの画素それぞれの面積を変化させ、該変化させた４つの画素の光を合成させたときに所望の白色となる該４つの画素それぞれの輝度を求め、該４つの画素における輝度の小さい２つの画素を選択する処理と、
前記選択された２つの画素が隣り合わないように前記４つの画素の配置を決定する処理とをコンピュータに実行させることを特徴とする画素配置プログラム。
【手続補正２】
【補正対象書類名】明細書
【補正対象項目名】０００５
【補正方法】変更
【補正の内容】
【０００５】
上記目的を達成するために、本発明の表示装置は、それぞれ異なる色に対応する４つの画素を一組として、該一組の画素を複数配置してカラー表示をする表示装置であって、前記４つの画素における面積の小さい２つの画素が隣り合わないように配置されていることを特徴とする。
本発明によれば、４つの原色をなす４つの画素で任意の色を表示する表示装置において各画素の面積を異なる構成として、高精度に白色を表示できるとともに、面積の小さい画素（遮光部の面積が大きい画素）同士を離して配置している。これにより本発明は、面積の小さい画素同士が隣接して配置されることによる（縦方向の）黒い筋が認識されることも回避することができる。したがって、本発明は、高画質の表示装置を実現することができる。
【手続補正３】
【補正対象書類名】明細書
【補正対象項目名】０００６
【補正方法】変更
【補正の内容】
【０００６】
上記目的を達成するために、本発明の表示装置は、それぞれ異なる色に対応する４つの画素を一組として、該一組の画素を複数配置してカラー表示をする表示装置であって、前記４つの画素における輝度の小さい２つの画素が隣り合わないように配置されていることを特徴とする。
本発明によれば、４つの原色をなす４つの画素で任意の色を表示する表示装置において各画素の面積を異なる構成として、高精度に白色を表示できるとともに、輝度の小さい画素（遮光部の面積が大きい画素）同士を離して配置している。これにより本発明は、輝度の小さい画素同士が隣接して配置されることによる（縦方向の）黒い筋が認識されることも回避することができる。したがって、本発明は、高画質の表示装置を実現することができる。
【手続補正４】
【補正対象書類名】明細書
【補正対象項目名】０００７
【補正方法】変更
【補正の内容】
【０００７】
また、本発明の表示装置は、前記一組の画素は、ストライプ型の配置で複数規則的に配置されていることが好ましい。
本発明によれば、面積の小さい２つの画素、又は輝度の小さい２つの画素が隣り同士に配置されて、その面積の小さい２つの画素（遮光部の面積が大きい画素）が表示面の縦方向に並んで、黒い筋として認識されることを、回避することができる。したがって、本発明は、ストライプ型の表示装置であって高画質の表示装置を実現することができる。
【手続補正５】
【補正対象書類名】明細書
【補正対象項目名】０００８
【補正方法】変更
【補正の内容】
【０００８】
また、本発明の表示装置は、前記一組の画素は、モザイク型の配置で複数規則的に配置されていることが好ましい。
本発明によれば、面積の小さい２つの画素、又は輝度の小さい２つの画素が隣り同士に配置されて、その面積の小さい２つの画素（遮光部の面積が大きい画素）が表示面の斜め方向に並んで、黒い筋として認識されることを、回避することができる。したがって、本発明は、モザイク型の表示装置であって高画質の表示装置を実現することができる。
【手続補正６】
【補正対象書類名】明細書
【補正対象項目名】００１０
【補正方法】変更
【補正の内容】
【００１０】
上記目的を達成するために、本発明の画素配置方法は、一組の画素に含まれ且つそれぞれ異なる色に対応する４つの画素の配置を決定する画素配置方法であって、前記４つの画素それぞれの面積を変化させ、該変化させた４つの画素の光を合成させたときに所望の白色となる該４つの画素それぞれの面積を求め、該４つの画素における面積の小さい２つの画素を選択し、前記選択された２つの画素が隣り合わないように前記４つの画素の配置を決定することを特徴とする。
本発明によれば、所望の白色を表示できるように、一組の４つの画素それぞれの面積を求めるので、高精度に白色を表示できる表示装置を設計・製造することができる。また、本発明によれば、面積の小さい２つの画素が隣り合わないように配置するので、（縦方向の）黒い筋が認識される表示装置となることも回避できる。したがって、本発明の画素配置方法によれば、高画質の表示装置を設計・製造することができる。
【手続補正７】
【補正対象書類名】明細書
【補正対象項目名】００１１
【補正方法】変更
【補正の内容】
【００１１】
上記目的を達成するために、本発明の画素配置方法は、一組の画素に含まれ且つそれぞれ異なる色に対応する４つの画素の配置を決定する画素配置方法であって、前記４つの画素それぞれの面積を変化させ、該変化させた４つの画素の光を合成させたときに所望の白色となる該４つの画素それぞれの輝度を求め、該４つの画素における輝度の小さい２つの画素を選択し、前記選択された２つの画素が隣り合わないように前記４つの画素の配置を決定することを特徴とする。
本発明によれば、所望の白色を表示できるように、一組の４つの画素それぞれの面積を求めるので、高精度に白色を表示できる表示装置を設計・製造することができる。また、本発明によれば、輝度の小さい２つの画素が隣り合わないように配置するので、（縦方向の）黒い筋が認識される表示装置となることも回避できる。したがって、本発明の画素配置方法によれば、高画質の表示装置を設計・製造することができる。
【手続補正８】
【補正対象書類名】明細書
【補正対象項目名】００１２
【補正方法】変更
【補正の内容】
【００１２】
上記目的を達成するために、本発明の画素配置プログラムは、一組の画素に含まれ且つそれぞれ異なる色に対応する４つの画素の配置を決定する画素配置プログラムであって、前記４つの画素それぞれの面積を変化させ、該変化させた４つの画素の光を合成させたときに所望の白色となる該４つの画素それぞれの面積を求め、該４つの画素における面積の小さい２つの画素を選択する処理と、前記選択された２つの画素が隣り合わないように前記４つの画素の配置を決定する処理とをコンピュータに実行させることを特徴とする。
【手続補正９】
【補正対象書類名】明細書
【補正対象項目名】００１３
【補正方法】変更
【補正の内容】
【００１３】
上記目的を達成するために、本発明の画素配置プログラムは、一組の画素に含まれ且つそれぞれ異なる色に対応する４つの画素の配置を決定する画素配置プログラムであって、前記４つの画素それぞれの面積を変化させ、該変化させた４つの画素の光を合成させたときに所望の白色となる該４つの画素それぞれの輝度を求め、該４つの画素における輝度の小さい２つの画素を選択する処理と、前記選択された２つの画素が隣り合わないように前記４つの画素の配置を決定する処理とをコンピュータに実行させることを特徴とする。